(57)【要約】【課題】面部を容易に開封することができる物品収納容器を提供する。【解決手段】開封時に双方の面部２，３を引き離すべく持つことができるように対応して配置される持ち手部分１３ａ，１４ａと、開封時に一体化した部分を含む所定の領域で破断する破断領域１６Ａを画定する切断部１６とを備え、切断部１６は、切り込み部１７と、繋ぎ部１８と、破断部１９とを備え、切り込み部１７は、縁部を切り込んで形成され、切り込み部１７の両端のうちの一方の端には、繋ぎ部１８が形成され、他方の端には、繋ぎ部１８が形成され、一方の端に形成した繋ぎ部１８の切り込み部１７と反対側には、破断部１９が形成され、切り込み部１７は、破断領域１６Ａの中央部１６ａと持ち手部分１３ａとを結ぶ仮想線Ｘを横切るように、中央部１６ａと持ち手部分１３ａとの間に形成されている。【選択図】  図２
2014133575.tif 000002
【特許請求の範囲】
【請求項１】
一対の面部を備え、両面部を重ね合わせて一体化した封状態で両面部間に物品を収納可能で、該封状態から両面部を引き離して開封した開封状態とすることで物品を取り出し可能に構成された物品収納容器であって、
両面部の対向する縁部に設けられ、開封時に双方の面部を引き離すべく持つことができるように対応して配置される持ち手部分と、少なくとも一方の面部の前記縁部に設けられ、開封時に前記一体化した部分を含む所定の領域で破断する破断領域を画定する切断部とを備え、
前記切断部は、切り込み部と、繋ぎ部と、破断部とを備え、
前記切り込み部は、前記縁部を切り込んで形成され、
前記切り込み部の両端のうちの一方の端には、前記繋ぎ部が形成され、他方の端には、前記繋ぎ部が形成される、又は他方の端が前記縁部の端縁まで到達しており、前記一方の端に形成した繋ぎ部の切り込み部と反対側には、前記破断部が形成され、
前記切り込み部は、前記破断領域の中央部と前記持ち手部分とを結ぶ仮想線を横切るように、該中央部と該持ち手部分との間に形成されていることを特徴とする物品収納容器。
【請求項２】
前記切り込み部の他方の端には、前記繋ぎ部が形成されていることを特徴とする請求項１に記載の物品収納容器。
【請求項３】
前記破断部は、前記切り込み部の一方の端に形成された繋ぎ部と、前記切り込み部の他方の端に形成された繋ぎ部とを結ぶように形成されていることを特徴とする請求項２に記載の物品収納容器。
【請求項４】
前記一対の面部は、それらの一端同士が連結されて一体化され、かつ、互いに重ね合わされて嵌合する嵌合構造を備え、前記縁部は、該一対の面部の遊端部であることを特徴とする請求項１〜３のいずれか１項に記載の物品収納容器。
【請求項５】
請求項１〜４のいずれか１項に記載の物品収納容器の破断領域内を連結して一体化した包装体。
【発明の詳細な説明】
【技術分野】
【０００１】
本発明は、一対の面部を備え、両面部を重ね合わせて一体化した封状態で間に物品を収納可能で、封状態から両面部を引き離して開封した開封状態とすることで物品を取り出し可能に構成された物品収納容器及び収納容器の破断領域内を連結して一体化した包装体に関する。
【背景技術】
【０００２】
かかる物品収納容器としては、一対の面部の一端同士が連結されて一体化されたプラスチック製のクラムシェルパックが知られている。このクラムシェルパックは、一方の面部を他方の面部に重ね合わせることによって、両面部が嵌合して両面部の間に物品を封状態で収納する。この封状態において両面部を引き離して容易に開封状態にすることができないように両面部の対向する縁部を溶着することによって、物品の盗難を防止するようにしている。
【０００３】
上記のように一対の面部同士が溶着されていると、物品を購入した購入者が封状態のクラムシェルパックを容易に開封状態にすることができない。そのため、鋏等を用いてクラムシェルパックを強制的に切り裂いて取り出すことになり、面倒である。そこで、鋏等を使用しないでクラムシェルパックを容易に開封状態にすることができるように、溶着部の周囲の一部を囲むように面部に切り込みを形成したものが提案されている（例えば、特許文献１参照）。
【先行技術文献】
【特許文献】
【０００４】
【特許文献１】特開２０１０−１６８０７３号公報
【発明の概要】
【発明が解決しようとする課題】
【０００５】
上記特許文献１の物品収納容器によれば、物品を取り出すために、両面部を開いていくと、切り込みが裂けるため、切り込みの両端部分までは両面部をスムーズに開けることができる。しかし、切り込みの両端部分に達した時点から、両カバー部材を開けようとしても、切り込みがそれの両端から裂けていかない。そのため、切り込みが裂けていくように両面部を大きな力で開けていかなければならず、非常に面倒であった。
【０００６】
そこで、本発明は、かかる事情に鑑みてなされたもので、面部を容易に開封することができる物品収納容器を提供することを課題とする。
【課題を解決するための手段】
【０００７】
本発明に係る物品収納容器は、一対の面部を備え、両面部を重ね合わせて一体化した封状態で両面部間に物品を収納可能で、該封状態から両面部を引き離して開封した開封状態とすることで物品を取り出し可能に構成された物品収納容器であって、両面部の対向する縁部に設けられ、開封時に双方の面部を引き離すべく持つことができるように対応して配置される持ち手部分と、少なくとも一方の面部の前記縁部に設けられ、開封時に前記一体化した部分を含む所定の領域で破断する破断領域を画定する切断部とを備え、前記切断部は、切り込み部と、繋ぎ部と、破断部とを備え、前記切り込み部は、前記縁部を切り込んで形成され、前記切り込み部の両端のうちの一方の端には、前記繋ぎ部が形成され、他方の端には、前記繋ぎ部が形成される、又は他方の端が前記縁部の端縁まで到達しており、前記一方の端に形成した繋ぎ部の切り込み部と反対側には、前記破断部が形成され、前記切り込み部は、前記破断領域の中央部と前記持ち手部分とを結ぶ仮想線を横切るように、該中央部と該持ち手部分との間に形成されていることを特徴とする。
【０００８】
本発明によれば、破断領域内において両面部を一体化することで封状態にする。封状態から開封状態にするときには、持ち手部分を持って引き離す。しかし、破断領域内は一体化されているから、引き離れないので、切り込み部から裂け始める。そして、切り込み部まで裂けると、繋ぎ部にせん断力が集中的に作用するから、繋ぎ部は容易に裂ける。その後、破断部で裂けることが誘導され、最終的に破断領域が破断して開封状態となる。
【０００９】
また、本発明に係る物品収納容器においては、前記切り込み部の他方の端には、前記繋ぎ部が形成されていてもよい。
【００１０】
かかる構成によれば、例えばトラックによる運搬中に物品収納容器に振動が作用した場合でも、切り込み部の他方の端に形成した繋ぎ部の繋ぎ力によって、破断領域が破断することを回避し易い。
【００１１】
また、本発明に係る物品収納容器においては、前記破断部が、前記切り込み部の一方の端に形成された繋ぎ部と、前記切り込み部の他方の端に形成された繋ぎ部とを結ぶように形成されていてもよい。
【００１２】
かかる構成によれば、破断部が破断して切断部が面部からくり抜かれた状態になるため、くり抜かれた後の切断部との切断面が面部の外側に露出することがない。
【００１３】
また、本発明に係る物品収納容器においては、前記一対の面部は、それらの一端同士が連結されて一体化され、かつ、互いに重ね合わされて嵌合する嵌合構造を備え、前記縁部は、該一対の面部の遊端部であってもよい。
【００１４】
かかる構成によれば、切断部を面部の遊端部のみに設けるだけで済むことから、他の縁部にも切断部を設ける構成に比べて製造面において有利になる。
【００１５】
また、本発明に係る物品収納容器の破断領域内を連結して一体化した包装体であってもよい。
【発明の効果】
【００１６】
以上の如く、切り込み部と、繋ぎ部と、破断部とを備える切断部によって、面部を容易に開封することができる物品収納容器を提供することができる。
【図面の簡単な説明】
【００１７】
【図１】本発明の第１実施形態に係る物品収納容器の展開図を示す。
【図２】同第１実施形態に係る物品収納容器の破断領域内を連結して一体化した包装体の正面図を示す。
【図３】同包装体の側面図を示す。
【図４】本発明の第２の実施形態に係る物品収納容器の展開図を示す。
【図５】（ａ）は同第２実施形態に係る物品収納容器の破断領域内を連結して一体化した包装体の正面図を示し、（ｂ）は（ａ）の包装体の上側部分のみを示す。
【図６】（ａ），（ｂ），（ｃ）は切断部の他の実施形態を示す正面図を示す。
【発明を実施するための形態】
【００１８】
＜第１実施形態＞
まず、本発明に係る物品収納容器の第１実施形態について説明する。
【００１９】
図１に示すように、物品収納容器１は、互いに対向配置される一対の面部２，３を備えている。そして、一対の面部２，３は、それらの一端同士が連結されている。具体的には、熱可塑性の透明な合成樹脂（例えば、ポリスチレン、ポリエチレンテレフタレート等）を材料として、図１のような展開された板状部材を成形する。その成形された板状部材の長手方向略中央部に長手方向と直交する方向に断続する切れ目４（図１では３個）を形成する。その形成された切れ目４を中心として一方の面部２を折り曲げることによって、他方の面部３に重ね合わせることができる（図２及び図３参照）。このように両面部２，３を重ね合わせて一体化した封状態で両面部２，３間に物品を収納可能で、封状態から両面部２，３を引き離して開封した開封状態とすることで物品（図示せず）を取り出すことができるように構成されている。また、一対の面部２，３は、互いに重ね合わされて嵌合する嵌合構造を備えている。尚、両面部２，３が非常に薄いため、両面部２，３を重ね合わせた状態において、図３では、後述する第１面部２の第１縁部７と第２面部２の第２縁部１０とが一枚のように見えている。
【００２０】
一方の面部２（以下において第１面部という）は、上下方向に２つの突出部５Ａ，５Ｂが形成された縦長状で板状の第１本体部５と、第１本体部５の外周縁から第１本体部５に対して垂直な方向である後方へ延出する第１側板部６と、第１側板部６の後端から垂直な方向、つまり第１本体部５と平行となるように延出する第１縁部７とを備えている。
【００２１】
他方の面部３（以下において第２面部という）は、前記第１面部２の下側の突出部５Ｂに対応する位置に形成された突出部８Ａを有する縦長状で板状の第２本体部８と、第２本体部８の外周縁から第２本体部８に対して垂直な方向である後方へ延出する第２側板部９と、第２側板部９の後端から垂直な方向、つまり第２本体部８と平行となるように延出する第２縁部１０とを備えている。
【００２２】
第２側板部９は、第１側板部６よりも少し小さな外形寸法に設定されており、第１側板部６の内側に第２側板部９が嵌まり込むことができるようになっている。従って、一対の面部２，３を重ね合わせることによって、第１側板部６と第２側板部９とが嵌合する嵌合構造を構成している。
【００２３】
また、第１面部２の第１側板部６の左側の板部分６Ａの上下方向２箇所、右側の板部分６Ｂの上下方向２箇所、上側の板部分６Ｃの左右方向２箇所の合計６箇所に、内側に凹んだ凹部１１Ａ〜１１Ｆが形成されている。これら凹部１１Ａ〜１１Ｆに対応する第２面部３の第２側板部９の左側の板部分９Ａの上下方向２箇所、右側の板部分９Ｂの上下方向２箇所、上側の板部分９Ｃの左右方向２箇所の合計６箇所に、凹部１１Ａ〜１１Ｆに入り込んで係止する凸部１２Ａ〜１２Ｆが形成されている。従って、前記のように一対の面部２，３を重ね合わせて嵌合することによって、凹部１１Ａ〜１１Ｆに凸部１２Ａ〜１２Ｆが係止して、両面部２，３を嵌合した状態で係止固定することができる。特に、後述する持ち手部分１３ａ，１４ａの近傍の開放操作する部分に、凹部１１Ｅと凸部１２Ｅとからなる係止手段を備えて開け難くすることによって、収納した物品の盗難防止に役立つとともに、凹部１１Ｅと凸部１２Ｅとの嵌合で両面部２，３の剛性を高めることができ、封状態から開封状態にする場合に面部２，３の変形を招くことを回避し易い利点がある。
【００２４】
更に、第１面部２の遊端部に位置する第１縁部７の上側の縁部７Ａの左端部に、上方に突出する板状の延出部１３が延出されている。また、第２面部３の遊端部に位置する第２縁部１０の下側（第１縁部７と同一側）の縁部１０Ａの左端部に、下方に突出する板状の延出部１４が形成されている。第１面部２の延出部１３の左端に、左側へ突出する持ち手部分１３ａが形成されている。この持ち手部分１３ａは、図２に示すように、重ね合わせられた第２面部３の延出部１４の左端から左側に突出して内側面（図では後側面）が露出する非対向縁部分を形成するため、この突出した持ち手部分１３ａを一方の指で持つことによって、第２面部３の左端の持ち手部分１４ａを持ち易くなっている。これら持ち手部分１３ａ，１４ａを持って両面部２，３を引き離すことによって、封状態の面部２，３を開封状態にすることができる。第２面部３の延出部１４の右端に、延出部１３，１４を上方側に配置した状態で吊り下げる為の吊り下げ部としての吊り下げ用の孔１４Ａが形成されている。かかる構成によれば、第１面部２と第２面部３とを一体化してなる後述の包装体２１を陳列棚に吊り下げる際あるいは陳列棚から取り外す際に使用者が誤って落下させた場合でも、上方側に位置する延出部１３，１４から地面に衝突する可能性は低く、落下の衝撃によって後述する破断領域１６Ａが破断することを回避し易い。
【００２５】
また、前記持ち手部分１３ａ，１４ａのうちの一方の持ち手部分１３ａは、縁部において部分的に対向しない非対向縁部分を形成した持ち手部分としている。具体的には、両面部２，３の縁部形状（図１では左端の形状）を互いに異ならしめることにより、両面部２，３を重ね合わせて一体化した封状態において、一方の縁部の内側面と他方の縁部の内側面とが部分的に対向することなく、一方の縁部の内側面が露出する構成として非対向縁部分（図２の拡大図において実線で示す斜線部分）を形成し、この非対向縁部分を持ち手部分１３ａとすることができる。かかる構成によれば、双方の面部２，３を引き離す際に一方の持ち手部分１３ａを手で持つ際に指で摘み易いので、容易に開封することができる。
【００２６】
更にまた、封状態の面部２，３を開封する開封時に、両面部２，３を一体化した部分、つまり両面部２，３の縁部７Ａ，１０Ａの溶着予定部分１５が溶着された溶着部２２（図２参照）を含む所定の領域で破断する破断領域１６Ａを画定する切断部１６を第１面部２に形成している。破断領域１６Ａは、溶着部２２よりも一回り大きな小判状の領域になっている。
【００２７】
切断部１６は、図２の拡大図にも示すように、縁部７を部分的に外方（図２では左側方）へ延出させた延出部１３において、破断領域１６Ａと破断領域１６Ａを除いた他の領域である周囲領域とを画する境界を構成するものであり、切り込み部１７と、繋ぎ部１８と、破断部１９とを備えている。
【００２８】
前記持ち手部分１３ａ及び切断部１６を、前記縁部７Ａの一部を延出させて形成した延出部１３に設けている。具体的には、前記縁部７Ａの一部を隣接する他の部分よりも大きく外方（図１では上方）に延出させて形成した延出部１３に、前記持ち手部分１３ａ及び切断部１６を設けている。かかる構成によれば、持ち手部分１３ａ及び切断部１６を視覚的あるいは知覚的に認識し易く、面部２，３の開封作業が容易になる。
【００２９】
切り込み部１７は、第１面部２の縁部７Ａを切刃等で厚さ方向に貫通するように切り込んで所定長さの弧状に形成されている。この切り込み部１７の両端のうちの一方の端には、破断領域１６Ａと周囲領域とを一体的に繋ぐ第１繋ぎ部１８Ａが形成され、他方の端にも、破断領域１６Ａと周囲領域とを一体的に繋ぐ第２繋ぎ部１８Ｂが形成され、前記繋ぎ部１８を構成している。そして、一方の端に形成した繋ぎ部１８Ａの切り込み部１７と反対側、つまり持ち手部分１３ａから離れる側に、破断部１９が形成されている。
【００３０】
また、切り込み部１７は、破断領域１６Ａの中央部１６ａと持ち手部分１３ａとを結ぶ仮想線Ｘを横切るように、中央部１６ａと持ち手部分１３ａとの間に形成されている。仮想線Ｘは、中央部１６ａを始点とする一方、包装体２１を開封する際に指で摘むことができる任意の所定領域内に位置する任意点を終点とする直線であればよい。本実施例における所定領域としては、図２の拡大図に示す持ち手部分１３ａ，１４ａの所定領域（実線で示されている斜線領域と破線で示されている斜線領域）を挙げることができる。
【００３１】
破断部１９は、切り込み部１７の一方の端に形成された第１繋ぎ部１８Ａと、切り込み部１７の他方の端に形成された第２繋ぎ部１８Ｂとを結ぶように形成され、また、破断部１９は、仮想線Ｘを中央部１６ａから持ち手部分１３ａとは反対方向に延ばした仮想延長直線を横切るように形成されている。具体的には、第１繋ぎ部１８Ａと第２繋ぎ部１８Ｂとの間に形成された第３繋ぎ部２０Ｃと、第１繋ぎ部１８Ａと第３繋ぎ部２０Ｃとの間に形成されて上記仮想延長直線を横切る破断用第１切り込み部２０Ａと、第２繋ぎ部１８Ｂと第３繋ぎ部２０Ｃとの間に形成された破断用第２切り込み部２０Ｂとから、弧状の破断部１９が形成されている。ここでは、破断用第１切り込み部２０Ａが破断用第２切り込み部２０Ｂよりも長く設定されているが、同一長さであってもよいし、破断用第１切り込み部２０Ａが破断用第２切り込み部２０Ｂよりも短く設定されていてもよい。尚、３つの繋ぎ部１８Ａ，１８Ｂ，２０Ｃをわかり易くするために、切り込み部間に縦線を描いたが、これら合計６本の縦線は、切り込みではない。また、３つの繋ぎ部１８Ａ，１８Ｂ，２０Ｃの長さは、比較的容易に破断できるように面部２の厚み等も考慮しながら設定することになる。
【００３２】
上記のように構成された物品収納容器１に物品を入れてから、破断領域１６Ａ内を溶着により連結して一体化した包装体について説明する。包装体は、例えば店頭等に吊り下げられて陳列される。
【００３３】
まず、図１に示す物品収納容器１を準備し、その物品収納容器１の第１面部２の下側の突出部５Ｂに例えば化粧品等の物品（図示せず）を入れる。尚、上側の突出部５Ａにも物品や宣伝用の印刷物等を入れることもできる。この状態から第２面部３を第１面部２に重ね合わせることによって、第１面部２の突出部５Ｂと第２面部３の突出部８Ａとで物品を挟み込んだ状態で収納する。このとき、前述したように第１面部２と第２面部３とが嵌合するとともに係止固定される。このように物品が収納された封状態から、溶着予定部分１５を例えば超音波により溶着して、溶着部２２（図２参照）を形成する。これによって、破断領域１６Ａ内が連結され、第１面部２と第２面部３とを一体化し、図２及び図３に示す包装体２１が完成する。
【００３４】
完成した包装体２１を例えば店頭に陳列台等に吊り下げて販売する。包装体２１を購入した購入者は、包装体２１の内部に収納された物品を取り出すことができるように、封状態の包装体２１を開封して開封状態にする。次に、封状態から開封状態になるまでの一連の流れを説明する。
【００３５】
まず、持ち手部分１３ａ，１４ａを持って第１面部２と第２面部３を互いに離間するように引き離す。しかし、破断領域１６Ａ内は溶着部２２で溶着されて一体化されているから、引き離れないので、切り込み部１７から裂け始める。そして、切り込み部１７まで裂けると、繋ぎ部１８の第１繋ぎ部１８Ａ及び第２繋ぎ部１８Ｂにせん断力が集中的に作用するから、２つの繋ぎ部１８Ａ，１８Ｂは容易に裂ける。その後、破断部１９を構成する第３繋ぎ部２０Ｃで裂けることが誘導され、最終的に破断領域１６Ａが破断して両面部２，３が開封状態となり、物品を取り出すことができる。尚、破断した小判状の破断領域１６Ａは、他方の延出部１４側で溶着部２２にくっ付いた状態で残り、一方の延出部１３は、破断領域１６Ａがくり抜かれて小判状の孔が形成される。
【００３６】
＜第二実施形態＞
次に、本発明に係る物品収納容器の第二実施形態について説明する。
【００３７】
図４に示すように、物品収納容器１００は、図１の物品収納容器１と基本的な構成は同一であり、異なる部分は、大きさ及び形状並びに持ち手部と切断部の数である。尚、物品を収納する部分の外形のみを、二点鎖線で示し、物品収納容器１００の上下の遊端部のみ図示している。物品収納容器１００は、一対の面部２３，２４を備えている。そして、一対の面部２３，２４は、それらの一端同士が図１同様に連結されている。具体的には、熱可塑性の透明な合成樹脂（例えば、ポリスチレン、ポリエチレンテレフタレート等）を材料として、図４のような展開された板状部材を成形する。成形された板状部材の長手方向略中央部に図１と同様に長手方向と直交する方向に断続する切れ目（図示していない）を形成することによって、切れ目を中心として一方の面部２３を折り曲げることで他方の面部２４に重ね合わせることができる（図５（ａ）参照）。このように両面部２３，２４を重ね合わせて一体化した封状態で両面部２３，２４間に物品を収納可能で、封状態から両面部２３，２４を引き離して開封した開封状態とすることで物品（図示せず）を取り出すことができるように構成されている。また、一対の面部２３，２４は、図１同様に、互いに重ね合わされて嵌合する嵌合構造を備えている。尚、図１と同様な構成の説明は省略し、異なる部分のみ説明する。
【００３８】
両面部２３，２４の遊端部には、上下方向に延出した縁部２５，２６を備え、縁部２５，２６の左右方向略中央部に縁部２５，２６を上方側に配置した状態で吊り下げる為の吊り下げ部としての吊り下げ用の孔２５Ａ，２６Ａを形成している。第一実施形態と同様に、両面部２３，２４を一体化してなる後述する包装体１１０を陳列棚に吊り下げる際あるいは陳列棚から取り外す際に使用者が誤って落下させた場合でも、上方側に位置する後述する縁部（延出部）２５，２６から地面に衝突する可能性は低く、落下の衝撃によって後述する破断領域３１Ａ，３２Ａが破断することを回避し易い。一方の孔２５Ａは、他方の孔２６Ａよりも少し大きな孔に形成されている（図５（ａ）参照）。また、一方の縁部２５の吊り下げ用の孔２５Ａの左側に弧状の切欠き部２５Ｋを形成し、他方の縁部２６の吊り下げ用の孔２６Ａの右側に円弧状の切欠き部２６Ｋを形成している。従って、図５（ａ）に示すように、両面部２３，２４を重ね合わされた封状態において、吊り下げ用の孔２５Ａ，２６Ａの左右方向両側に持ち手部分２７，２８が形成される。
【００３９】
一方（図５（ａ），（ｂ）の左側）の持ち手部分２７は、表側（前側）に位置する面部２４の縁部２６の左側の切欠き部２６Ｋの左側上端部分２６ａ（図５（ｂ）のドット部分で示している。この左側上端部分２６ａに代えて中央部左側上端部分２６ｃでもよい）と、裏側（後側）に位置する面部２３の縁部２５における表側（前側）の縁部２６の切欠き部２６Ｋから前側に露出する第一実施形態で言う非対向縁部分である左側の弧状部分２５ａ（図５（ｂ）の実線で示す斜線部分）とから、左側の持ち手部分２７が構成されている。また、他方（図５（ａ），（ｂ）の右側）の持ち手部分２８は、裏側（後側）に位置する面部２３の縁部２５の切欠き部２５Ｋの右側上端部分２５ｂ（図５（ｂ）のドット部分で示している。この右側上端部分２５ｂに代えて中央部右側上端部分２５ｃでもよい）と、表側（前側）に位置する面部２４の縁部２６における裏側（後側）の縁部２５の切欠き部２５Ｋから裏側（後側）に露出する第一実施形態で言う非対向縁部分である右側の弧状部分２６ｂ（図５（ｂ）の破線で示す斜線部分）とから、右側の持ち手部分２８が構成されている。これら２つの持ち手部分２７，２８のいずれか一方を持って封状態の両面部２３，２４を引き離して開封状態にすることができる。つまり、左側の持ち手部分２７を持つ場合には、左側上端部分２６ａと左側の弧状部分２５ａとを持つことになり、右側の持ち手部分２８を持つ場合には、右側上端部分２５ｂと右側の弧状部分２６ｂとを持つことになる。また、２つの持ち手部分２７，２８の両方を持って封状態の両面部２３，２４を引き離して開封状態にすることもできる。この場合、左側の持ち手部分２７を構成する左側の弧状部分２５ａと右側の持ち手部分２８を構成する右側の弧状部分２６ｂとを持って封状態の両面部２３，２４を引き離して開封状態にすることになる。
【００４０】
図４において裏側（後側）に位置する面部２３の縁部２５の左右両端部に溶着予定部分２９Ａ，２９Ｂが示され、それら溶着予定部分２９Ａ，２９Ｂの外周に、開封時に溶着予定部分２９Ａ，２９Ｂを溶着してなる溶着部３６，３６（図５（ａ）参照）を含む所定の領域で破断する破断領域３１Ａ，３２Ａを画定する切断部３１，３２が形成されている。尚、表側（前側）に位置する面部２４の縁部２６の左右両端部の溶着予定部分２９Ａ，２９Ｂの外周には、前記切断部３１，３２は形成されていない。
【００４１】
左右の切断部３１，３２は、両面部２３，２４の周囲に形成されて上下左右方向に形成される縁部のうち上下縁部を左右縁部よりも相対的に延出させて形成した縁部２５（延出部）において、破断領域３１Ａ，３２Ａと破断領域３１Ａ，３２Ａを除いた他の領域である周囲領域とを画する境界を構成するものであり、切り込み部３３と、繋ぎ部３４と、破断部３５とを備えている。そして、左右の切断部３１，３２は、破断部３５の位置が異なるだけで、その他の構成は同一であるため、以下において、右側の切断部３２について説明する。
【００４２】
切り込み部３３は、面部２３の縁部２５を切刃等で厚さ方向に貫通するように略２７０度切り込んだ弧状に形成されている。この切り込み部３３の両端のうちの一方の端には、破断領域３１Ａ，３２Ａと周囲領域とを一体的に繋ぐ第１繋ぎ部３４Ａが形成され、他方の端にも、破断領域３１Ａ，３２Ａと周囲領域とを一体的に繋ぐ第２繋ぎ部３４Ｂが形成されている。これら２つの繋ぎ部３４Ａ，３４Ｂから前記繋ぎ部３４を構成している。そして、一方の端に形成した繋ぎ部３４Ａの切り込み部３３と反対側、つまり持ち手部分２７，２８から離間する側に、破断部３５が形成されている。
【００４３】
右側の切り込み部３３は、切断部３２の破断領域３２Ａの中央部３２ａと一方（左側）の持ち手部分２７とを結ぶ仮想線Ｘを横切るように、中央部３２ａと持ち手部分２７との間に形成されている。仮想線Ｘは、中央部３２ａを始点とする一方、包装体１１０を開封する際に指で摘むことができる任意の所定領域内に位置する任意点を終点とする直線であればよい。本実施例における所定領域としては、左側上端部分２６ａ（図５（ｂ）に示されている左側のドット部分）、中央部左側上端部分２６ｃ（図５（ｂ）に示されている略中央のドット部分）、左側の弧状部分２５ａ（図５（ｂ）に実線で示されている斜線部分）、右側上端部分２５ｂ（図５（ｂ）の右側に示されているドット部分）、中央部右側上端部分２５ｃ（図５（ｂ）に示されている略中央のドット部分）、右側の弧状部分２６ｂ（図５（ｂ）に破線で示されている斜線部分）を挙げることができる。尚、右側の持ち手部分２８と左側の切り込み部３３においても同様であるため、説明は省略する。また、前述したように、２つの持ち手部分２７，２８の両方を持って封状態の両面部２３，２４を引き離して開封状態にする場合について図５（ｂ）に基づいて説明する。左側の切り込み部３３は、左側の切断部３１の破断領域３１Ａの中央部３１ａとこれの近傍に位置する左側の持ち手部分２７を構成する左側の弧状部分２５ａ（実線の斜線で示す部分）とを結ぶ仮想線Ｘを横切るように、中央部３１ａと弧状部分２５ａとの間に形成されている。これに対して、右側の切り込み部３３は、右側の切断部３２の破断領域３２Ａの中央部３２ａとこれの近傍に位置する右側の持ち手部分２８を構成する右側の弧状部分２６ｂ（破線の斜線で示す部分）とを結ぶ仮想線Ｘを横切るように、中央部３２ａと弧状部分２６ｂとの間に形成されている。
【００４４】
破断部３５は、切り込み部３３の一方の端に形成された第１繋ぎ部３４Ａと、切り込み部３３の他方の端に形成された第２繋ぎ部３４Ｂとを結ぶように形成され、また、破断部３５は、仮想線Ｘを中央部３２ａから持ち手部分２７とは反対方向に延ばした仮想延長直線を横切るように形成されている。具体的には、第１繋ぎ部３４Ａと第２繋ぎ部３４Ｂとの間に形成された第３繋ぎ部３５Ｃと、第１繋ぎ部３４Ａと第３繋ぎ部３５Ｃとの間に形成されて上記仮想延長直線を横切る破断用第１切り込み部３５Ａと、第２繋ぎ部３４Ｂと第３繋ぎ部３５Ｃとの間に形成された破断用第２切り込み部３５Ｂとから、破断部３５が形成されている。ここでは、破断用第１切り込み部３５Ａと破断用第２切り込み部３５Ｂとが同一長さに設定されているが、異なる長さであってもよい。右側の破断部３５は、円を左右上下で四等分した状態において右下部分（略９０度の範囲）に形成されている。また、左側の破断部３５は、円を左右上下で四等分した状態において左下部分（略９０度の範囲）に形成されている。
【００４５】
前記持ち手部分２７，２８及び切断部３１，３２を、前記縁部（延出部）２５，２６に設けている。具体的には、前記縁部の一部である上下縁部を隣接する他の部分である左右縁部よりも大きく外方に延出させて形成した延出部２５，２６に、前記持ち手部分２７，２８を設けるとともに、一方の延出部２５に左右の切断部３１，３２を設けている。かかる構成によれば、持ち手部分２７，２８及び切断部３１，３２を視覚的あるいは知覚的に認識し易く、面部２，３の開封作業が容易になる。
【００４６】
上記のように構成された物品収納容器１００に物品を入れてから破断領域３１Ａ，３２Ａ内を溶着により連結して一体化した包装体について説明する。包装体は、例えば店頭等に吊り下げられて陳列される。
【００４７】
まず、図４に示す物品収納容器１００を準備し、その物品収納容器１００で形成される収納室（図示せず）に例えば化粧品等の物品（図示せず）を入れる。この状態から両面部２３，２４を重ね合わせることによって、両面部２３，２４間に物品を挟み込んだ状態で収納する。このとき、第一実施形態と同様に、両面部２３，２４が嵌合するとともに係止固定される。このように物品が収納された封状態から、溶着予定部分２９Ａ，２９Ｂを例えば超音波により溶着する。これにより、図５（ａ）に示すように、左右両端に溶着部３６が形成されることによって、破断領域３１Ａ，３２Ａ内を連結して両面部２３，２４を一体化し、包装体１１０が完成する。
【００４８】
完成した包装体１１０を例えば店頭に陳列台等に吊り下げて販売する。販売されている包装体１１０を購入した購入者は、包装体１１０の内部に収納された物品を取り出すことができるように、封状態の包装体１１０を開封して開封状態にする。次に、封状態から開封状態になるまでの一連の流れを説明する。
【００４９】
まず、持ち手部分２７又は／及び２８を持って一対の面部２３，２４を互いに離間するように引き離す。しかし、破断領域３１Ａ，３２Ａ内は溶着されて一体化されているから、引き離れないので、切り込み部３３，３３から裂け始める。そして、切り込み部３３，３３まで裂けると、繋ぎ部３４の第１繋ぎ部３４Ａ及び第２繋ぎ部３４Ｂにせん断力が集中的に作用するから、２つの繋ぎ部３４Ａ，３４Ｂは容易に裂ける。その後、破断部３５を構成する第３繋ぎ部３５Ｃで裂けることが誘導され、最終的に破断領域３１Ａ，３２Ａが破断して開封状態となり、物品を取り出すことができる。尚、破断した２つの破断領域３１Ａ，３２Ａは、前側の面部２４の縁部２６側で溶着部３６，３６にくっ付いた状態で残り、後側の面部２３の縁部２５の両側には、破断領域３１Ａ，３２Ａがくり抜かれて円形状の孔が形成される。
【００５０】
前記切断部１６の他の３つの実施形態を、図６（ａ），（ｂ），（ｃ）に示している。図６（ａ），（ｂ），（ｃ）の共通点は、切断部１６が第一実施形態及び第二実施形態のようなループ状ではなく、切断部１６の両端が延出部１３の端まで達しているＵの字形状である。
【００５１】
まず、図６（ａ）について説明すれば、切断部１６が、切り込み部１７と、繋ぎ部１８と、破断部１９とを備えている。切り込み部１７は、延出部１３を弧状に切り込んで形成されている。繋ぎ部１８は、切り込み部１７の一端に形成された第１繋ぎ部１８Ａと、切り込み部１７の他端に形成された第２繋ぎ部１８Ｂとから構成されている。破断部１９は、第１繋ぎ部１８Ａから延出部１３の横側端まで切り込まれた破断用第１切り込み部２０ａと、第２繋ぎ部１８Ｂと延出部１３の横側端との間に形成された第３繋ぎ部２０ｂと、第２繋ぎ部１８Ｂと第３繋ぎ部２０ｂとの間に形成された破断用第２切り込み部２０ｃと、第３繋ぎ部２０ｂから延出部１３の横側端まで切り込まれた破断用第３切り込み部２０ｄとから構成されている。また、切り込み部１７は、破断領域１６Ａの中央部１６ａと持ち手部分１３ａとを結ぶ仮想線Ｘを横切るように、中央部１６ａと持ち手部分１３ａとの間に形成されている。
【００５２】
また、図６（ｂ）に示すように、切断部１６が、切り込み部１７と、繋ぎ部１８と、破断部１９とを備えている。切り込み部１７は、延出部１３を曲線状に切り込んで形成されている。切り込み部１７の一端が延出部１３の上端まで達しており、切り込み部１７の他端に、第１繋ぎ部１８Ａが形成されている。つまり、繋ぎ部１８は、切り込み部１７の一端にのみ形成された第１繋ぎ部１８Ａから構成されている。破断部１９は、第１繋ぎ部１８Ａから延出部１３の横側端までの間に形成された第２繋ぎ部２０ｅと、第１繋ぎ部１８Ａと第２繋ぎ部２０ｅとの間に切り込まれた破断用第１切り込み部２０ｆと、第３繋ぎ部２０ｅから延出部１３の横側端まで切り込まれた破断用第２切り込み部２０ｇとから構成されている。また、切り込み部１７は、破断領域１６Ａの中央部１６ａと持ち手部分１３ａとを結ぶ仮想線Ｘを横切るように、中央部１６ａと持ち手部分１３ａとの間に形成されている。
【００５３】
また、図６（ｃ）に示すように、切断部１６が、切り込み部１７と、繋ぎ部１８と、破断部１９とを備えている。切り込み部１７は、延出部１３を略直線状に切り込んで形成されている。切り込み部１７の一端が延出部１３の上端まで達しており、切り込み部１７の他端に、第１繋ぎ部１８Ａが形成されている。つまり、繋ぎ部１８は、切り込み部１７の一端にのみ形成された第１繋ぎ部１８Ａから構成されている。破断部１９は、第１繋ぎ部１８Ａと延出部１３の上端との間に形成された第２繋ぎ部２０ｈ及び第３繋ぎ部２０ｉと、第１繋ぎ部１８Ａと第２繋ぎ部２０ｈとの間に切り込まれた破断用第１切り込み部２０ｊと、第２繋ぎ部２０ｈと第３繋ぎ部２０ｉとの間に切り込まれた破断用第２切り込み部２０ｋと、第３繋ぎ部２０ｉから延出部１３の上端まで切り込まれた破断用第３切り込み部２０ｌとから構成されている。また、切り込み部１７は、破断領域１６Ａの中央部１６ａと持ち手部分１３ａとを結ぶ仮想線Ｘを横切るように、中央部１６ａと持ち手部分１３ａとの間に形成されている。尚、図６（ａ），（ｂ），（ｃ）で示した合計８個の繋ぎ部１８Ａ，１８Ｂ，２０ａ〜２０ｌをわかり易くするために、切り込み部間に縦線を描いたが、第一実施形態と同様に、これら合計１６本の縦線は、切り込みではない。
【００５４】
尚、本発明に係る物品収納容器及び包装体は、上記実施形態に限定されるものではなく、本発明の要旨を逸脱しない範囲で種々の変更が可能である。
【００５５】
前記切断部１６，３１，３２の形状は、円形、楕円形、小判形状、Ｕの字形状の他、ハート形状、矩形状、多角形状等、どのような形状であってもよい。
【００５６】
また、前記第一実施形態及び第二実施形態では、１又は２の切断部１６，３１，３２を形成しているが、切断部の数は任意であって、物品収納容器の形状等に対応して適宜増減してもよい。
【００５７】
また、前記第一実施形態及び第二実施形態では、切断部１６，３１，３２を一対の面部の一方の面部にのみ形成したが、他方の面部にも切断部を形成して実施することもできる。切断部を両面部に形成することによって、一方の面部のみに形成した場合に比べて、破断領域を小さな力で容易に破断することができる利点があるだけでなく、一方の切断部に製作不良等が発生して、一方の切断部が切断不良となっても、他方の切断部で確実に破断することができる利点もある。
【００５８】
また、前記第一実施形態及び第二実施形態で示した切断部１６，３１，３２を構成する切り込み部１７，３３，３３の切り込み範囲を、３６０度の切断部１６，３１，３２に対して９０度以上に設定することが好ましい。また、１８０度以上に設定すれば、小さな力で切断部１６，３１，３２を切断することができる。切り込み範囲を形成する角度は、切断部の中央部と切り込み部の両端とを各々結ぶ各線分（２つの線分）によって形成される角度である。換言すれば、前記角度は、前記角度を形成する一方の線分と、持ち手部分と中央部とを結ぶ仮想線Ｘとで形成される一方の角度と、前記角度を形成する他方の線分と、同仮想線Ｘとで形成される他方の角度との和である。一方の角度及び他方の角度の和は９０度以上、特に１８０度以上であることが好ましく、より具体的には、一方の角度及び他方の角度が各々４０度以上であり且つ両角度の和が９０度以上、一方の角度及び他方の角度が各々８０度以上であり且つ両角度の和が１８０度以上であることがより好ましい。
【００５９】
また、前記第一実施形態及び第二実施形態では、破断部１９，３５における破断用第１切り込み部２０Ａ，３５Ａと破断用第２切り込み部２０Ｂ，３５Ｂを、切刃等を用いて厚さ方向に貫通した切り込み部としているが、例えばハーフカット等のように、厚さ方向に部分的に切り込んで強度を弱めた脆弱部としてもよい。
【００６０】
また、前記第一実施形態及び第二実施形態では、切り込み部１７，３３の端に各々形成された第１繋ぎ部１８Ａ，３４Ａと第２繋ぎ部１８Ｂ，３４Ｂの間に位置する中間繋ぎ部として第３繋ぎ部２０Ｃ，３５Ｃを形成しているが、中間繋ぎ部の数は任意であって、複数の中間繋ぎ部を形成してもよく、また、中間繋ぎ部を形成しなくてもよい。
【００６１】
また、前記第一実施形態及び第二実施形態では、両縁部において内側面同士が部分的に対向しない非対向縁部分１３ａ，２５ａ，２６ｂを形成して持ち手部分を構成しているが、必ずしも非対向縁部分を形成する必要はなく、開封時に双方の面部を引き離すべく持つことができるように対応して縁部に配置される持ち手部分であればよい。
【００６２】
また、前記第二実施形態においては、持ち手部分２７，２８を構成する左側上端部分２６ａ、中央部左側上端部分２６ｃ、左側の弧状部分２５ａ、右側上端部分２５ｂ、中央部右側上端部分２５ｃおよび右側の弧状部分２６ｂの各所定領域における各任意点と、切断部３１，３２の各中央部とを結ぶ複数の仮想線の全てが切り込み部３３を横切るよう形成されているが、必ずしも全ての仮想線が切り込み部を横切る必要はなく、一の切り込み部を横切る一の仮想線を備えればよい。
【００６３】
また、前記第一実施形態及び第二実施形態では、両面部を重ね合わせて一体化する手段として超音波による溶着を例示したが、これに限るものではなく、例えば、熱溶着など他の溶着手段はもちろん、接着剤やステープルを用いて一体化してもよい。
【００６４】
また、前記第一実施形態及び第二実施形態では、吊り下げ部として吊り下げ用の孔１４Ａ，２５Ａ，２６Ａを設けているが、孔に限るものではなく、鍵状のフック等のように陳列棚などの什器に対して包装体を吊り下げることができる構成であればよい。
【００６５】
また、前記第一実施形態及び第二実施形態では、一対の面部の一端同士を連結してなる包装体の一例であるクラムシェルパックを示したが、一端同士が連結されていない一対の面部を重ね合わせて一体にした包装体であってもよい。また、包装体の形状は、正面視において矩形状の他、円形状、楕円形状、多角形状、ハート形状等、どのような形状であってもよい。
【符号の説明】
【００６６】
１…物品収納容器、２，３…面部、４…切れ目、５…本体部、５Ａ，５Ｂ…突出部、６…側板部、６Ａ，６Ｂ，６Ｃ…板部分、７，１０…縁部、８…本体部、８Ａ…突出部、９…側板部、９Ａ，９Ｂ，９Ｃ…板部分、１１Ａ-１１Ｆ…凹部、１２Ａ-１２Ｆ…凸部、１３，１４…延出部、１３ａ，１４ａ…持ち手部分、１４Ａ…孔、１５…溶着予定部分、１６…切断部、１６Ａ…破断領域、１６ａ…中央部、１７，３３…切り込み部、１８…繋ぎ部、１８Ａ…第１繋ぎ部、１８Ｂ…第２繋ぎ部、１９…破断部、２０Ａ，２０Ｂ，２０Ｃ…切り込み部、２１…包装体、２２…溶着部、２３，２４…面部、２５，２６…縁部、２５Ａ，２６Ａ…孔、２５Ｋ…切欠き部、２６…縁部、２６Ａ…孔、２６Ｋ…切欠き部、２７，２８…持ち手部分、２９Ａ，２９Ｂ…溶着予定部分、３１Ａ，３２Ａ…破断領域、３１，３２…切断部、３２ａ…中央部、３３…切り込み部、３４…繋ぎ部、３５…破断部、３６…溶着部、１００…物品収納容器、１１０…包装体、Ｘ…仮想線
【図１】
2014133575.tif 000003
【図２】
2014133575.tif 000004
【図３】
2014133575.tif 000005
【図４】
2014133575.tif 000006
【図５】
2014133575.tif 000007
【図６】
2014133575.tif 000008